(57)【要約】【課題】電池を収納可能な携帯用電子機器において、電池の装着し忘れを防ぐ。【解決手段】筐体本体２の電池収納部４周縁に電池蓋６周縁を受けるための平坦部２ａを形成する。電池蓋６周縁の水平方向内側に電池収納部４へのスライド方向に延びる一対のガイドレール７を形成する。電池収納部４を形成する壁部のうち、ガイドレール７に対応する壁部にガイドレール７を係止するためのロック爪５を形成する。ロック爪５の先端に外側に向かって延びる段部５ａを備えた鉤部５ｂを形成し、対向するロック爪５内面の間隔Ｌ２を電池３の両側面の間隔をよりも小さく設定する。対向するロック爪５の段部５ａの最外端の間隔Ｌ３を、対向するガイドレール７の最内端の間隔Ｌ４よりも小さく設定する。電池３を電池収納部４に収納した状態で、ロック爪５が外方に撓むことにより、ロック爪５をガイドレール７に係止させる。【選択図】図５
2007227045.tif 000002
【特許請求の範囲】
【請求項１】
電池を収納する凹状の電池収納部を有する筐体本体と、
該電池収納部を覆う電池蓋とを有する携帯用電子機器であって、
上記筐体本体の電池収納部周縁には、上記電池蓋周縁を受けるための平坦部が形成され、
上記電池蓋周縁の水平方向内側には、上記電池収納部へのスライド方向に延びる一対のガイドレールが形成され、
上記電池収納部を形成する壁部のうち、上記ガイドレールに対応する壁部には、該ガイドレールを係止するためのロック爪が電池収納部の底面に略垂直に延びるように形成され、
上記ロック爪は、その先端に、外側に向かって延びる段部を備えた鉤部が形成され、
対向する上記ロック爪内面の間隔は、上記電池の両側面の間隔よりも小さく設定され、
上記対向するロック爪の段部の最外端の間隔は、上記対向するガイドレールの最内端の間隔よりも小さく設定され、
上記電池を上記電池収納部に収納した状態で、上記ロック爪が外方に撓んで鉤部が上記ガイドレールに係止するように構成されている
ことを特徴とする携帯用電子機器。
【請求項２】
請求項１に記載の携帯用電子機器において、
上記ロック爪における、上記電池を電池収納部に収納する際に該電池の側面が当接する部分には、面取りが形成されている
ことを特徴とする携帯用電子機器。
【請求項３】
請求項１又は２に記載の携帯用電子機器において、
上記ロック爪の鉤部よりも基端側には、位置決め用の係合用突起が外側に向けて突出するように形成され、
上記ガイドレールには、上記係合用突起に対応するように、該係合用突起に係合するための係合用溝が形成されている
ことを特徴とする携帯用電子機器。
【請求項４】
請求項１乃至３のいずれか１つに記載の携帯用電子機器において、
上記筐体本体は、樹脂成形品よりなり、
上記ロック爪は、上記電池収納部と一体に形成されている
ことを特徴とする携帯用電子機器。
【請求項５】
請求項１乃至４のいずれか１つに記載の携帯用電子機器において、
携帯電話機である
ことを特徴とする携帯用電子機器。
【発明の詳細な説明】
【技術分野】
【０００１】
本発明は、携帯電話機、カメラ、オーディオ機器、電子計算機、パソコン、電子辞書、モバイルツール等の電池を収納可能とした携帯用電子機器の電池収納部の構造に関する。
【背景技術】
【０００２】
従来より、携帯電話機、カメラ、オーディオ機器、電子計算機、パソコン、電子辞書、モバイルツール等の電池を収納可能とした携帯用の電子機器は、電池蓋に覆われた電池収納部内に電池を脱着可能に装着している。
【０００３】
一般に、図９乃至図１１に示すように、携帯電話機１０１など携帯通信機器は、その携帯性ゆえに電池１０３を備えている。電池１０３は、筐体本体１０２の電池収納部１０４に収納された状態で、電池蓋１０６に覆われるようになっている。電池蓋１０６は、筐体本体１０２に固定するためのロック爪１０５を有する。
【０００４】
電池１０３の収納手順は、まず、電池１０３を電池収納部１０４に収納し、その後、電池蓋１０６の周縁を電池収納部１０４の周縁に嵌め込んだ状態で矢印Ａ方向にスライドさせ、ロック爪１０５を電池収納部１０４の被係合部１０４ａに当接させる。すると、電池蓋１０６に設けたロック爪１０５が、矢印Ｆ方向に押し下げられた後、図１１に示すように、被係合部１０４ａに係合する。このようなロック機構を用いることにより、電池蓋１０６は筐体本体１０２にロックされるため、携帯電話機１０１の使用時には、電池蓋１０６が不用意に開かないように使用できるようになっている。
【０００５】
一方、電池蓋１０６を開けるときは、手で矢印Ｅ方向へ所定の力で電池蓋１０６を押し下げながら、ロック爪１０５を被係合部１０５ａから外す。その後、電池蓋１０６を矢印Ｂ方向にスライドさせて開き、電池１０３が取り出される。
【０００６】
このような携帯電子機器において、例えば、特許文献１では、携帯機器本体のリアケースの電池装填部における上縁部所要箇所に凹状切欠部を形成し、該凹状切欠部の両側部内面側に係止片を形成する一方、電池蓋の表面側上端部に、上記凹状切欠部に対して嵌入及び離脱自在な指当て部を凸状に張り出すよう形成し、該指当て部の両側部内面側に、上記係止片に対して係合及び離脱自在な係止爪を形成し、電池蓋のロック機構を構成している。このことで、落下衝撃による電池蓋の脱落を防止し得、かつ電池蓋の脱着時における操作性を改善している。
【０００７】
また、例えば、特許文献２では、筐体本体の電池収納部をカバーするように電池蓋を取り付けた際に、電池蓋から延出したロック爪が筐体本体の凹部に嵌合することによって、筐体本体に電池蓋をロックし、電池蓋を取り外す際には、筐体本体におけるロック爪の対向部位に形成した解除穴にボールペンや鉛筆の先端部を挿入してロック爪を押圧することによりロック状態を解除し、更に電池蓋をスライドさせるという２つの動作を行うことで、電池蓋が安易に外れないようにしている。
【特許文献１】特開２００１−１１８５５４号公報
【特許文献２】特開２００２−２１６７２８号公報
【発明の開示】
【発明が解決しようとする課題】
【０００８】
しかしながら、従来の電池蓋の取付機構では、電池が筐体本体の電池収納部に収納されていてもいなくても、電池蓋は筐体本体に係合され、ロックされてしまう。
【０００９】
したがって、電池が装着されていなくても、使用者はそのことに気が付かず、うっかりそのまま外に持ち出し、いざ使用するときに使えないという問題が発生する。
【００１０】
特に、近年普及しつつある３Ｇ携帯電話機においてはＳＩＭカードが装着されることが多く、電池を外さないとＳＩＭカードが交換できないため、電池を外す頻度が非常に高くなっている。このことから、上記問題が頻繁に発生するおそれがある。
【００１１】
本発明は、かかる点に鑑みてなされたものであり、その目的とするところは、携帯用の電子機器において、電池蓋の係止構造に工夫を加えることにより、電池の装着し忘れを防ぐことにある。
【課題を解決するための手段】
【００１２】
上記の目的を達成するために、第１の発明では、電池を収納する凹状の電池収納部を有する筐体本体と、
該電池収納部を覆う板状の電池蓋とを有する携帯用電子機器であって、
上記筐体本体の電池収納部周縁には、上記電池蓋周縁を受けるための平坦部が形成され、
上記電池蓋周縁の水平方向内側には、上記電池収納部へのスライド方向に延びる一対のガイドレールが形成され、
上記電池収納部を形成する壁部のうち、上記ガイドレールに対応する壁部には、該ガイドレールを係止するためのロック爪が電池収納部の底面に略垂直に延びるように形成され、
上記ロック爪は、その先端に、外側に向かって延びる段部を備えた鉤部が形成され、
対向する上記ロック爪内面の間隔は、上記電池の両側面の間隔よりも小さく設定され、
上記対向するロック爪の段部の最外端の間隔は、上記対向するガイドレールの最内端の間隔よりも小さく設定され、
上記電池を上記電池収納部に収納した状態で、上記ロック爪が外方に撓んで鉤部が上記ガイドレールに係止するように構成されている。
【００１３】
上記の構成によると、電池が電池収納部に納められていない状態では、ガイドレールとロック爪の鉤部とは係合しないため、電池蓋を嵌め込むことができず、電池を収納しない状態で誤って携帯して外出することはない。一方、電池を電池収納部に収納すると、電池の側面がロック爪を押すことにより、ロック爪が外側へ撓んで、その鉤部の段部がガイドレールに係合するので、電池蓋で電池が覆われるため、携帯して外出可能となる。
【００１４】
第２の発明では、上記ロック爪における、上記電池を電池収納部に収納する際に該電池の側面が当接する部分には、面取りが形成されている。
【００１５】
上記の構成によると、電池を電池収納部に収納する際には、電池でロック爪の先端側内面を押しのけながら、ロック爪を外側へ撓ませる必要があるが、ロック爪における電池の側面が当接する部分には、面取りが形成されているので、容易にロック爪を外側に押しのけながら電池が電池収納部に収納される。
【００１６】
第３の発明では、上記ロック爪の鉤部よりも基端側には、位置決め用の係合用突起が外側に向けて突出するように形成され、
上記ガイドレールには、上記係合用突起に対応するように、該係合用突起に係合するための係合用溝が形成されている。
【００１７】
上記の構成によると、ロック爪の係合用突起をガイドレールの係合用溝に係合させることにより、電池蓋が定位置に固定され、携帯時に電池蓋が筐体本体から外れるのが防止される。
【００１８】
第４の発明では、上記筐体本体は、樹脂成形品よりなり、
上記ロック爪は、上記電池収納部と一体に形成されている。
【００１９】
上記の構成によると、ロック爪を樹脂製とすることで、撓みやすく成形することが可能となり、また、電池収納部と一体に成形することで、別々に成形する場合に比べて部品点数が減り、組付作業も容易となる。
【００２０】
第５の発明では、携帯用電子機器は、携帯電話機とする。
【００２１】
上記の構成によると、携帯電話機は、携帯して使用する頻度も多く、ＳＩＭカードが装着される場合には、電池を外さないとＳＩＭカードが交換できず、電池を外す頻度が非常に高くなることから、電池の装着し忘れを防ぐ効果が高い。
【発明の効果】
【００２２】
以上説明したように、本発明によれば、電池が電池収納部に納められていない状態では、ガイドレールとロック爪の鉤部とが係合せず、電池蓋を筐体本体に取り付けることができないようにしている。このため、電池を収納しない状態で誤って携帯して外出することはないので、電池の装着し忘れを確実に防ぐことができる。
【発明を実施するための最良の形態】
【００２３】
以下、本発明の実施形態を図面に基づいて説明する。
【００２４】
図１（ａ）は、本発明の携帯用電子機器としての携帯電話機１の電池蓋６をロックした状態を示す斜視図であり、（ｂ）は、そのロック爪５及びその周辺の拡大図である。この携帯電話機１は、角が丸まった筐体本体２と、この筐体本体２の背面側に嵌め込まれる電池蓋６とを備えている。
【００２５】
筐体本体２には、電池３（バッテリー）を収納するための電池収納部４が平面視矩形状に凹陥されている。電池収納部４の周縁には、電池蓋６の周縁を受けるための平坦部４ａが形成されている。電池収納部４の左右両側側面には、電池収納部４の底面に対して略垂直に一対のロック爪５が立設されている。ロック爪５は矢印Ｃ方向、Ｄ方向に揺動可能に構成されている。
【００２６】
図２に拡大して示すように、ロック爪５の先端には、外側に向かって延びる段部５ａを備えた鉤部５ｂが形成されている。鉤部５ｂの内側先端は、面取りされたテーパ面５ｃが形成されている。鉤部５ｂよりも基端側には、電池蓋６の位置決め用の断面Ｒ形状の係合用突起５ｄが外側に向けて突出するように形成されている。
【００２７】
図３に示すように、電池蓋６は、矩形板状の蓋本体６ａとこの蓋本体６ａの上側（挿入側）を除く３辺を囲む側壁６ｂとを備えている。左右の側壁６ｂには、蓋本体６ａの長手方向に延びるガイドレール７が蓋本体６ａと略平行に設けられている。ガイドレール７の挿入側には、平面視Ｒ形状の係合用溝８が設けられている。
【００２８】
図４に示すように、電池３の幅Ｌ１よりも、筐体本体２における電池３の左右側面が当接する左右のロック爪５の内面の間隔Ｌ２が狭く設定されている（Ｌ１＞Ｌ２）。
【００２９】
図５及び図７にも示すように、左右のロック爪５における段部５ａの最外端の間隔Ｌ３は、電池蓋６の左右のガイドレール７の内面７ａの間隔Ｌ４よりも狭く設定されている。つまり、電池３を電池収納部４内に収納していないときには、ロック爪５の鉤部５ｂとガイドレール７とが係合しないので、電池蓋６は、筐体本体２に取り付けることができないようになっている。
【００３０】
−ロック爪の作用−
次にロック爪５の作用について、図面を用いて詳細に説明する。
【００３１】
まず、電池３を電池収納部４に収納する際には、図４に示すように、ロック爪５のテーパ面５ｃに電池３の左右側面を当接させ、ロック爪５を矢印Ｄ方向（図１に示す）に押し広げながら、電池３を下方に押し付けて電池収納部４に収納する。
【００３２】
次に、電池蓋６を筐体本体２に矢印Ａ方向（図１に示す）へスライドさせながら、装着する。このとき、電池蓋６のガイドレール７がロック爪５の段部５ａに当接しながら、電池蓋６が矢印Ａ方向にスライドされる。
【００３３】
電池蓋６がロック位置までくると、電池蓋６の係合用溝８とロック爪５の係合用突起５ｄとが係合し、電池蓋６が筐体本体２の定位置で固定される。
【００３４】
一方、電池蓋６を取り外す際には、所定の力を矢印Ｂ方向に加え、係合用溝８と係合用突起５ｄとの係合を解除する。
【００３５】
次いで、電池蓋６を矢印Ｂ方向へスライドさせ、筐体本体２から外す。
【００３６】
次いで、電池３を上方へ引き上げて電池収納部４から取り外すと、押し広げられていたロック爪５の先端が矢印Ｃ方向に回動しながらフリーの状態に戻る。
【００３７】
この電池３が収納されず、ロック爪５がフリーの状態では、図５及び図７に示すように、ガイドレール７とロック爪５の段部５ａとがまったく当接しない。
【００３８】
このため、電池３が電池収納部４に収納されていない状態では、電池蓋６は、筐体本体２に保持されない。
【００３９】
したがって、電池３を筐体本体２に装着しなければ、電池蓋６がロック(固定）されないため、使用者は、電池３の装着し忘れを確実に防止することができる。
【００４０】
（その他の実施形態）
本発明は、上記実施形態について、以下のような構成としてもよい。
【００４１】
すなわち、上記実施形態では、一対のロック爪５を設けたが、二対以上のロック爪５を設けてもよい。
【００４２】
上記実施形態では、電池３は、バッテリー（充電池）としているが、乾電池でもよい。
【００４３】
上記実施形態では、ストレートタイプの携帯電話機について記載したが、折畳み式の携帯電話機であってもよい。
【００４４】
上記実施形態では、携帯電子機器は、携帯電話機１としたが、カメラ、オーディオ機器、電子計算機、パソコン、電子辞書、モバイルツール等、電池を収納可能とした携帯用電子機器でもよい。
【００４５】
なお、以上の実施形態は、本質的に好ましい例示であって、本発明、その適用物や用途の範囲を制限することを意図するものではない。
【産業上の利用可能性】
【００４６】
以上説明したように、本発明は、携帯電話機等の電池を備えた携帯用電子機器について有用である。
【図面の簡単な説明】
【００４７】
【図１】（ａ）は、本発明の携帯電話機の電池蓋をロックした状態を示す斜視図であり、（ｂ）は、その一部拡大図である。
【図２】ロック爪を拡大して示す斜視図である。
【図３】電池蓋を裏面側から見た斜視図であり、（ｂ）は、その一部拡大図である。
【図４】電池を装着する様子を示す断面図であり、（ｂ）は、その一部拡大図である。
【図５】図１の電池が装着されていない場合のＶ−Ｖ線断面図であり、（ｂ）は、その一部拡大図である。
【図６】電池が装着された場合の図５相当図である。
【図７】図１の電池が装着されていない場合のVII−VII線断面図であり、（ｂ）は、その一部拡大図である。
【図８】電池が装着された場合の図７相当図である。
【図９】従来技術にかかる携帯電話機における、電池蓋をロックする途中を示す斜視図である。
【図１０】（ａ）は、図９のＸ−Ｘ線断面図であり、（ｂ）は、その一部拡大図である。
【図１１】電池蓋をロックした状態を示す図１０相当図である。
【符号の説明】
【００４８】
１      携帯電話機（携帯用電子機器）
２      筐体本体
２ａ    平坦部
３      電池
４      電池収納部
５      ロック爪
５ａ    段部
５ｂ    鉤部
５ｃ    テーパ面（面取り）
５ｄ    係合用突起
６      電池蓋
７      ガイドレール
７ａ    内面（最内端）
８      係合用溝
【図１】
2007227045.tif 000003
【図２】
2007227045.tif 000004
【図３】
2007227045.tif 000005
【図４】
2007227045.tif 000006
【図５】
2007227045.tif 000007
【図６】
2007227045.tif 000008
【図７】
2007227045.tif 000009
【図８】
2007227045.tif 000010
【図９】
2007227045.tif 000011
【図１０】
2007227045.tif 000012
【図１１】
2007227045.tif 000013